(57)【特許請求の範囲】
【請求項１】
周壁を形成する枠板(1,2)のうち、対向する一方の枠板(1)に内閉フラップ(4)を、他方の枠板(1)に外閉フラップ(5)を、両側の枠板(2)に側閉フラップ(6)をそれぞれ連設し、内閉フラップ(4)を内側へ折り曲げ、内閉フラップ(4)に側閉フラップ(6)を、側閉フラップ(6)に外閉フラップ(5)を順次重ね、これらを噛み合わせて開口面を閉止する噛合閉止箱において、前記外閉フラップ(5)の先端に折返片(7)を連設し、側閉フラップ(6)に形成した段部(6a)を巻き込むように折返片(7)を折り曲げ、内閉フラップ(4)で折返片(7)を覆うようにしたことを特徴とする噛合閉止箱。
【請求項２】
前記折返片(7)を、外閉フラップ(5)から両側方へ張り出させ、折返片(7)の両側部に、外閉フラップ(5)との境界両端から先端方向へ延びる逃折線(7a)を入れたことを特徴とする請求項１に記載の噛合閉止箱。
【請求項３】
前記内閉フラップ(4)を、内底面全体に亘るものとしたことを特徴とする請求項１又は２に記載の噛合閉止箱。
【発明の詳細な説明】
【技術分野】
【０００１】
この発明は、フラップを噛み合わせ、自己ロック作用により開口面を閉止する噛合閉止箱に関するものである。
【背景技術】
【０００２】
一般に、板紙製の菓子箱として、図１５及び図１６に示すように、周壁５１の各一対の枠板５２，５３のうち、対向する一方の枠板５２に内閉フラップ５４を、他方の枠板５２に外閉フラップ５５を、両側の枠板５３に側閉フラップ５６をそれぞれ連設し、これらを噛み合わせて底部の開口面を閉止するものが使用されている。
【０００３】
内閉フラップ５４は、先端中間部に切欠部５４ａを有するコ字状とされ、両側縁は枠板５３に内接するものとされている。外閉フラップ５５は、基端から先端側へかけて幅が狭くなる台形状とされ、先端部に両側方へ張り出した係止片５５ａが設けられている。側閉フラップ５６は、一方の側縁が傾斜し、その斜縁側に係止片５６ａが設けられている。
【０００４】
この箱の底部の開口面を閉止する際には、内閉フラップ５４を内側へ折り曲げ、次に、内閉フラップ５４に側閉フラップ５６を重ねて、係止片５６ａを切欠部５４ａに押し込んで係合させ、その後、側閉フラップ５６に外閉フラップ５５を重ね、係止片５５ａを切欠部５４ａに差し込んで係合させる。
【０００５】
このような噛合閉止箱は、例えば、下記特許文献１に記載されている。
【０００６】
【特許文献１】実公昭３１−１７０８８号公報
【発明の開示】
【発明が解決しようとする課題】
【０００７】
しかしながら、上記のような噛合閉止構造を、青果物等を収納する段ボール箱に適用した場合、箱内に突出した係止片が青果物の表面を傷付けて、商品価値を低下させるおそれがあるほか、商品の重量で底抜けするおそれもある。
【０００８】
そこで、この発明は、収納する商品を傷付けることなく、開口面を簡単に閉止でき、大きな荷重にも耐えることができる噛合閉止箱を提供しようとするものである。
【課題を解決するための手段】
【０００９】
上記課題を解決するため、この発明は、周壁を形成する枠板のうち、対向する一方の枠板に内閉フラップを、他方の枠板に外閉フラップを、両側の枠板に側閉フラップをそれぞれ連設し、内閉フラップを内側へ折り曲げ、内閉フラップに側閉フラップを、側閉フラップに外閉フラップを順次重ね、これらを噛み合わせて開口面を閉止する噛合閉止箱において、前記外閉フラップの先端に折返片を連設し、側閉フラップに形成した段部を巻き込むように折返片を折り曲げ、内閉フラップで折返片を覆うようにしたのである。
【００１０】
また、前記折返片を、外閉フラップから両側方へ張り出させ、折返片の両側部に、外閉フラップとの境界両端から先端方向へ延びる逃折線を入れ、逃折線での折れ曲がり及び復元により、折返片が側閉フラップ間を通過して、抜け止めされるようにしたのである。
【００１１】
また、前記内閉フラップを、内底面全体に亘るものとし、内底面の段差を解消すると共に、内閉フラップの両側縁及び先端縁を周壁に内接させ、保形性を向上させたのである。
【発明の効果】
【００１２】
この発明に係る噛合閉止箱では、開口面を閉じたとき、収納した商品の表面に突き当たるおそれのある折返片の端縁が内閉フラップに覆われて箱内に露出せず、商品の傷付きが防止される。また、底部の内閉フラップに商品を載せると、商品の自重により内閉フラップを介して折返片が押さえられ、折返片の折り曲げの戻りが阻止されるので、底抜けが防止され、重量のある青果物等の包装にも対応することができる。
【発明を実施するための最良の形態】
【００１３】
この発明の第１実施形態を図１乃至図７に基づいて説明する。
【００１４】
図１に示す噛合閉止箱は、商品としてメロン等の球状青果物を包装する立方体状のものであり、図２に示す段ボールのブランクから形成される。
【００１５】
このブランクでは、各一対の枠板１，２が交互に連設され、一方の枠板２の外側に継代片３が連設されている。一方の枠板１の下端には内閉フラップ４が、他方の枠板１の下端には外閉スラップ５が、各枠板２の下端には側閉フラップ６がそれぞれ連設されている。
【００１６】
内閉フラップ４は、箱の内底面全体に亘る正方形状とされている。外閉フラップ５は、基端から先端側へかけて幅が狭くなる台形状とされ、その先端に２本の罫線に挟まれた額縁部を介して折返片７が連設されている。側閉フラップ６は、外閉フラップ５と反対側に位置する一方の側縁が傾斜し、その斜縁側に段部６ａが設けられている。
【００１７】
折返片７は、外閉フラップ５から両側方へ張り出し、折返片７の両側部には、外閉フラップ５との境界両端から先端方向外側へ斜めに延びる逃折線７ａが入れられている。
【００１８】
枠板２の上端には蓋受フラップ８が、一方の枠体１の上端には内蓋フラップ９が、他方の枠板１の上端には外蓋フラップ１０がそれぞれ連設されている。内蓋フラップ９及び外蓋フラップ１０は、箱の天面全体に亘る正方形状とされ、蓋受フラップ８の長さは、内蓋フラップ９及び外蓋フラップ１０の半分程度とされている。
【００１９】
蓋受フラップ８及び内蓋フラップ９の先端中央部には、開蓋する際、指を掛ける指入切欠８ａ，９ａがそれぞれ設けられ、内蓋フラップ９及び外蓋フラップ１０には、持運びの便のため、切目を入れて半環状の把手片１１が設けられると共に、把手片１１を起こすための指入切欠１１ａが設けられている。
【００２０】
外蓋フラップ１０の先端中央部には差込片１２が設けられ、差込片１２には、両側方に張り出すストッパ部１２ａが設けられている。内蓋フラップ９の枠板１との境界に沿った中央部には、スリット状の差込穴１３が設けられ、差込穴１３に臨んで、枠板１の上部には、鉤形の切目が断続するジッパを入れて切取片１４が設けられている。
【００２１】
蓋受フラップ８の先端外角部には、差込片１２の差込穴１３への差し込みを可能とするため、差込切欠８ｂが設けられている。
【００２２】
上記のようなブランクを組み立てて、商品を包装する際には、図１に示すように、各一対の枠板１，２を四角筒状に折り曲げ、継代片３を反対側の枠板１に貼り付けて周壁を形成し、底面を閉止した後、箱内に商品を収納し、天面を閉止する。
【００２３】
この底面の閉止に際しては、図３に示すように、箱の上下を反転させた状態で、図４に示すように、内閉フラップ４を内側へ折り曲げ、次に、側閉フラップ６を内側へ突き合わせるように折り曲げる。
【００２４】
次に、図５に示すように、内閉フラップ４を押し下げた状態で、側閉フラップ６の段部６ａを巻き込むように折返片７を折り曲げると、折返片７の両側部が側閉フラップ６の内縁部に当接しつつ、逃折線７ａに沿って谷折りされ、対向する側閉フラップ６の斜縁間を通過した後、反発により復元し、折返片７が側閉フラップ６の間から抜け止めされる。
【００２５】
続いて、図６に示すように、内閉フラップ４をその基端の折目の反発に伴い復元させると、折返片７は、内閉フラップ４で覆われ、内閉フラップ４と側閉フラップ６の間に挟まれて、開口面の閉止状態が維持される。
【００２６】
そして、図７に示すように、箱の上下を元に戻し、天面の開口から箱内に商品Ｇを収納して、内閉フラップ４に商品Ｇを載せると、商品Ｇの自重により、内閉フラップ４を介して折返片７が押さえられ、折返片７の折り曲げの戻りが阻止されるので、底抜けが防止される。また、折返片７の端縁が箱内に露出せず、商品Ｇの傷付きが防止される。
【００２７】
その後、図１に示すように、各蓋受フラップ８を内側へ突き合わせるように折り曲げ、蓋受フラップ８に内蓋フラップ９及び外蓋フラップ１０を順次重ねて、差込片１２を、ストッパ部１２ａを内側に折り重ねた状態で、差込穴１３に差し込むと、ストッパ部１２ａが復元して、差込片１２が差込穴１３から抜け止めされ、封緘状態が維持される。
【００２８】
このように封緘した箱は、指入切欠１１ａに指を入れ、二枚の把手片１１を重なり合った状態で起こすことにより、把手片１１を把持して、容易に持運ぶことができる。
【００２９】
また、切取片１４を切り取って、枠板１の上端部に切欠部を形成し、その切欠部を介して差込片１２を抜き出すことにより、開封することができる。なお、この箱は、切取片１４を切り取らなければ開封できないので、商品へのいたずらを防止することができる。
【００３０】
次に、この発明の第２実施形態を図８乃至図１４に基づいて説明する。
【００３１】
図８に示す噛合閉止箱は、すいか等、球状青果物の陳列に使用する無蓋有底の六角筒状のものであり、図９に示す段ボールのブランクから形成される。
【００３２】
このブランクでは、一対の枠板１との二対の枠板２とが、中央で枠板２同士が隣接するように連設され、一方の枠板２の外側に継代片３が連設されている。一方の枠板１の下端には内閉フラップ４が、他方の枠板１の下端には外閉スラップ５が連設され、枠板２の下端には内閉フラップ４の両側方に側閉フラップ６が、外閉フラップ５の両側方に側閉フラップ１５がそれぞれ連設されている。
【００３３】
内閉フラップ４は、箱の内底面全体に亘る六角形状とされている。外閉フラップ５は、基端から先端側へかけて幅が狭くなる台形状とされ、その先端に２本の罫線に挟まれた額縁部を介して折返片７が連設されている。側閉フラップ６，１５は、箱の底面形状に対応して斜縁を有し、一対の長い側閉フラップ６の内斜縁に段部６ａが設けられている。
【００３４】
折返片７は、外閉フラップ５から両側方へ張り出し、折返片７の両側部には、外閉フラップ５との境界両端から先端へ延びる逃折線７ａが入れられている。
【００３５】
上記のようなブランクを組み立てて、商品を陳列する際には、図８に示すように、一対の枠板１と二対の枠板２とを六角筒状に折り曲げ、継代片３を反対側の枠板１に貼り付けて周壁を形成し、底面を閉止した後、箱内に商品を収納する。
【００３６】
この底面の閉止に際しては、図１０に示すように、箱の上下を反転させた状態で、図１１に示すように、内閉フラップ４を内側へ折り曲げ、次に、図１２に示すように、側閉フラップ１５を内側へ突き合わせるように折り曲げ、これに重ねて側閉フラップ６を内側へ突き合わせるように折り曲げる。
【００３７】
次に、内閉フラップ４を押し下げて、図１３に示すように、側閉フラップ６の段部６ａを巻き込むように折返片７を折り曲げると、折返片７の両側部が側閉フラップ６の内縁部に当接しつつ、逃折線７ａに沿って谷折りされ、対向する側閉フラップ６の内縁間を通過した後、反発により復元し、折返片７が側閉フラップ６の間から抜け止めされる。
【００３８】
続いて、内閉フラップ４をその基端の折目の反発に伴い復元させると、折返片７は、内閉フラップ４で覆われ、内閉フラップ４と側閉フラップ６の間に挟まれて、開口面の閉止状態が維持される。
【００３９】
そして、図１４に示すように、箱の上下を元に戻し、天面の開口から箱内に商品Ｇを収納して、内閉フラップ４に商品Ｇを載せると、商品Ｇの自重により、内閉フラップ４を介して折返片７が押さえられ、折返片７の折り曲げの戻りが阻止されるので、底抜けが防止される。また、折返片７の端縁が箱内に露出せず、商品Ｇの傷付きが防止される。
【００４０】
なお、上記実施形態では、内閉フラップ４が箱内の底面全体に亘るものとしたが、内閉フラップ４は、折返片７を覆い、両側縁が枠板２に内接して、周壁を保形できるものであれば、先端が対向する枠板１まで達しない寸法であってもよい。
【００４１】
また、箱の底部の開口面を閉止するために内閉フラップ４、外閉フラップ５及び側閉フラップ６を噛み合わせることとしたが、箱の天部の開口面を閉止するために、上記のような噛合構造を採用してもよい。
【図面の簡単な説明】
【００４２】
【図１】第１実施形態に係る噛合閉止箱の組立状態を示す斜視図
【図２】同上の噛合閉止箱のブランクを示す図
【図３】同上の底部開口面の閉止過程を示す部分斜視図
【図４】同上の底部開口面の閉止過程を示す部分斜視図
【図５】同上の底部開口面の閉止過程を示す部分斜視図
【図６】同上の底部開口面の閉止状態を示す部分斜視図
【図７】同上の商品収納状態を示す縦断側面図
【図８】第２実施形態に係る噛合閉止箱の組立状態を示す斜視図
【図９】同上の噛合閉止箱のブランクを示す図
【図１０】同上の底部開口面の閉止過程を示す部分斜視図
【図１１】同上の底部開口面の閉止過程を示す部分斜視図
【図１２】同上の底部開口面の閉止過程を示す部分斜視図
【図１３】同上の底部開口面の閉止状態を示す部分斜視図
【図１４】同上の商品収納状態を示す縦断側面図
【図１５】従来の噛合閉止箱の底部開口面の閉止過程を示す斜視図
【図１６】同上の底部開口面の閉止状態を示す底面図
【符号の説明】
【００４３】
１，２  枠板
３  継代片
４  内閉フラップ
５  外閉フラップ
６  側閉フラップ
６ａ  段部
７  折返片
７ａ  逃折線
８  蓋受フラップ
８ａ  指入切欠
８ｂ  差込切欠
９  内蓋フラップ
９ａ  指入切欠
１０  外蓋フラップ
１１  把手片
１１ａ  指入切欠
１２  差込片
１２ａ  ストッパ部
１３  差込穴
１４  切取片
１５  側閉フラップ
【図１】
0005149056.tif 000002
【図２】
0005149056.tif 000003
【図３】
0005149056.tif 000004
【図４】
0005149056.tif 000005
【図５】
0005149056.tif 000006
【図６】
0005149056.tif 000007
【図７】
0005149056.tif 000008
【図８】
0005149056.tif 000009
【図９】
0005149056.tif 000010
【図１０】
0005149056.tif 000011
【図１１】
0005149056.tif 000012
【図１２】
0005149056.tif 000013
【図１３】
0005149056.tif 000014
【図１４】
0005149056.tif 000015
【図１５】
0005149056.tif 000016
【図１６】
0005149056.tif 000017